(57)【要約】【課題】装置内の温度及び圧力分布を均一化できることは勿論のこと、当該装置内に配設されたディスクモータやベアリング等に使用されている油や潤滑油等が装置内に漏洩し、光ディスクや光ディスク装置に付着することを防止することが可能な光ディスク装置を提供する。【解決手段】ディスクモータ５０のロータケース５３に形成された光ディスク対向面５２の中央部６１に、光ディスク１００の中心孔１０２に挿入され、光ディスク１００を径方向に規制する規制部材７０を設け、光ディスク対向面５２の外周部６２に、光ディスク１００の光ディスク面１０１を支持する支持部材６５を配設し、支持部材６５に、支持部材６５の外周縁から内周縁に連通し、装置内の空気を流通させる流通路６６Ａ〜６６Ｃを設けた。【選択図】図２
2008305446.tif 000002
【特許請求の範囲】
【請求項１】
光ディスクを回転駆動させるディスクモータを有し、当該ディスクモータにより前記光ディスクを回転させ、情報の記録または再生を行う光ディスク装置であって、
前記ディスクモータは、前記回転駆動される光ディスクと同心状に配置されたロータを有し、
前記ロータは、前記回転駆動される光ディスクの光ディスク面に対向する光ディスク対向面を有するロータケースを備え、
前記光ディスク対向面の中央部には、当該光ディスクの中心孔に挿入され、当該光ディスクを径方向に規制する規制部材が配設され、前記光ディスク対向面の外周部には、当該光ディスク面を支持する支持部材が配設されてなり、
前記支持部材は、当該支持部材の外周縁から内周縁に連通し、装置内の空気を流通させる流通路を少なくとも１つ有し、
前記規制部材は、前記流通路に連通する貫通孔と、当該規制部材の内部と外部との間で前記空気を流通させる流通孔と、を有してなる光ディスク装置。
【請求項２】
前記流通路は、前記支持部材を周方向の所定位置で分離して複数の支持片とし、互いに隣接する支持片同士の間に形成される隙間からなる請求項１記載の光ディスク装置。
【請求項３】
前記支持片は、周方向両側に位置し、前記隙間を画定する側壁の内周端が、当該側壁の外周端を通る法線よりも後方に位置するように、当該法線に対し傾斜してなる請求項２記載の光ディスク装置。
【請求項４】
前記支持片の周方向両側に位置する側壁のうち、前記光ディスクの回転方向前方に位置する側壁は、内側に湾曲し、当該光ディスクの回転方向後方に位置する側壁は、外側に湾曲してなる請求項３記載の光ディスク装置。
【請求項５】
前記流通路を複数有し、当該各々の流通路は互いに略同一の形状を有してなる請求項１ないし請求項４のいずれか一項に記載の光ディスク装置。
【請求項６】
前記各々の流通路は、互いに周方向に等間隔で配設されてなる請求項５記載の光ディスク装置。
【請求項７】
光ディスクを回転駆動させるディスクモータを有し、当該ディスクモータにより前記光ディスクを回転させ、情報の記録または再生を行う光ディスク装置であって、
前記ディスクモータは、前記回転駆動される光ディスクと同心状に配置されたロータを有し、
前記ロータは、前記回転駆動される光ディスクの光ディスク面に対向する光ディスク対向面を有するロータケースを備え、
前記光ディスク対向面の中央部には、当該光ディスクの中心孔に挿入され、当該光ディスクを径方向に規制する規制部材が配設され、前記光ディスク対向面の外周部には、当該光ディスク面を支持する支持部材が配設されてなり、
前記ロータケースは、前記光ディスク対向面に、当該ロータケースの外周縁から前記規制部材に向けて連通し、装置内の空気を流通させる第１の流通路を少なくとも１つ有し、
前記規制部材は、前記第１の流通路に連通する貫通孔と、当該規制部材の内部と外部との間で前記空気を流通させる流通孔と、を有してなる光ディスク装置。
【請求項８】
前記第１の流通路は、前記ロータケースに形成された凹部からなる請求項７記載の光ディスク装置。
【請求項９】
前記凹部は、周方向両側に位置する側壁によって画定され、当該側壁は、前記規制部材側の先端が、当該側壁の外周端を通る法線よりも後方に位置するように、当該法線に対し傾斜してなる請求項８記載の光ディスク装置。
【請求項１０】
前記凹部の周方向両側を画定する側壁のうち、前記光ディスクの回転方向前方に位置する側壁は、内側に湾曲し、当該光ディスクの回転方向後方に位置する側壁は、外側に湾曲してなる請求項９記載の光ディスク装置。
【請求項１１】
前記第１の流通路を複数有し、当該各々の第１の流通路は互いに略同一の形状を有してなる請求項７ないし請求項１０のいずれか一項に記載の光ディスク装置。
【請求項１２】
前記各々の第１の流通路は、互いに周方向に等間隔で配設されてなる請求項１１記載の光ディスク装置。
【請求項１３】
前記支持部材は、当該支持部材の外周縁から内周縁に連通し、装置内の空気を流通させる第２の流通路を少なくとも１つ有し、
前記規制部材に形成された貫通孔は、前記第１の連通孔及び第２の連通孔と連通する請求項７ないし請求項１２のいずれか一項に記載の光ディスク装置。
【請求項１４】
前記第２の流通路は、前記支持部材を周方向の所定位置で分離して複数の支持片とし、互いに隣接する支持片同士の間に形成される隙間からなる請求項１３記載の光ディスク装置。
【請求項１５】
前記支持片は、周方向両側に位置し、前記隙間を画定する側壁の内周端が、当該側壁の外周端を通る法線よりも後方に位置するように、当該法線に対し傾斜してなる請求項１４記載の光ディスク装置。
【請求項１６】
前記支持片の周方向両側に位置する側壁のうち、前記光ディスクの回転方向前方に位置する側壁は、内側に湾曲し、当該光ディスクの回転方向後方に位置する側壁は、外側に湾曲してなる請求項１５記載の光ディスク装置。
【請求項１７】
前記第２の流通路を複数有し、当該各々の第２の流通路は互いに略同一の形状を有してなる請求項１３ないし請求項１６のいずれか一項に記載の光ディスク装置。
【請求項１８】
前記各々の第２の流通路は、互いに周方向に等間隔で配設されてなる請求項１７記載の光ディスク装置。
【請求項１９】
前記第１の流通路と、前記第２の流通路が連通してなる請求項１３ないし請求項１８のいずれか一項に記載の光ディスク装置。
【請求項２０】
前記凹部の周方向両側に位置する一方の側壁と、前記支持片の周方向両側に位置する一方の側壁が同一面上にあり、前記凹部の周方向両側に位置する他方の側壁と、前記支持片の周方向両側に位置する他方の側壁が同一面上にある請求項１９記載の光ディスク装置。
【請求項２１】
筐体と、当該筐体に挿抜可能に配設されたトレイと、をさらに備え、前記ロータが当該トレイに配設されてなる請求項１ないし請求項２０のいずれか一項に記載の光ディスク装置。
【請求項２２】
筐体と、当該筐体内に配設され、当該筐体に挿入された光ディスクを前記ロータにチャッキングするよう支持するベースと、をさらに備え、前記ロータが当該ベースに配設されてなる請求項１ないし請求項２１のいずれか一項に記載の光ディスク装置。
【請求項２３】
前記回転駆動される光ディスクの光ディスク面に略垂直方向の厚さが、５ｍｍ以上、１５ｍｍ以下である請求項１ないし請求項２２のいずれか一項に記載の光ディスク装置。
【発明の詳細な説明】
【技術分野】
【０００１】
本発明は、光ディスク装置に係り、内部の温度及び圧力分布を均一化できる機構を有する光ディスク装置に関する。
【背景技術】
【０００２】
従来、パーソナルコンピュータ等の据え置き型電子機器やノートブックパソコン、携帯型情報端末機器、携帯型映像装置等の携帯型電子機器等に好適に用いられる光ディスク装置として、カバーと、このカバーに挿抜自在に設けられたトレイと、前記トレイに設けられ光ディスクを回転させるディスクモータと、前記トレイに移動自在に保持され光ディスクに対して情報の記録または再生の少なくとも一方を行う光学装置を搭載し且つ前記ディスクモータに対して近づいたり離れたりするキャリッジと、を備えたものがある。このような光ディスク装置では、前記ディスクモータに備えられたロータの一部に、孔または凹部を設けることで、軽量化を図っている。（例えば、特許文献１参照）。
【０００３】
また、光ディスクの平面部を支持し且つ当該光ディスクを径方向に規制するディスク保持部材及びロータケースに貫通孔を設け、前記光ディスクが回転した際に、前記貫通孔に装置内の空気を通過させることで、光ディスクの中心付近が負圧になることを防止すると共に、光ディスクの両面間の温度差を減らすことが可能な光ディスク装置も紹介されている。（例えば、特許文献２及び３参照）。
【特許文献１】特開２００５−３２７４１３号公報
【特許文献２】特開２００４−３２６９９２号公報
【特許文献３】特開２００６−９９８３２号公報
【発明の開示】
【発明が解決しようとする課題】
【０００４】
一般に、光ディスク装置では、光ディスクを回転させた場合、光ディスクの中心部と、外周部とで圧力差が生じ、この圧力差により、光ディスク及びディスクモータが、負圧になるトップケース側に吸引されることで光ディスクが傾き、光ピックアップによる記録情報の読取り性能を劣化させる虞がある。また、前記圧力差が生じると、光ディスク装置の作動中に衝撃が加えられた際に、光ディスクが外れてしまう虞もある。そしてまた、光ディスクの一方の面側には、光ピックアップや、レーザー駆動回路や、ディスクモータ等の発熱源が配されているため、前記光ディスクの一方の面が熱せられ、他方の面との間に温度差を生じ、光ディスクを変形させ、これも記録情報の読取り性能を劣化させる一因となっている。これらの現象は、特に、厚みが１２．７ｍｍや、９．５ｍｍ等に代表される薄型光ディスク装置に顕著に現れる。
【０００５】
しかしながら、特許文献１に記載された光ディスク装置は、ディスクモータに備えられたロータの一部に、孔または凹部を設けることで、光ディスク装置の内部で発生する熱を、ロータの回転を利用して前記孔または凹部に通過させて、熱の流路を作ることで熱拡散させ、光ディスク装置の熱上昇を防止することはできるが、光ディスクの中心部と、外周部との間に生じる圧力差をなくすことで、記録・再生の信頼性を向上させたり、光ディスク装置の作動中に衝撃が加えられた際に、光ディスクが外れてしまうことを防止することについては、何ら考慮がなされていない。また、特許文献１に記載された光ディスク装置は、前記孔または凹部が、ディスクモータに近接して形成されているため、ディスクモータから出る油が、当該孔または凹部から漏洩し、光ディスクや光ディスク装置に付着する虞がある。
【０００６】
そしてまた、特許文献２及び３に記載された光ディスク装置は、前記貫通孔が、ディスクモータの回転軸を支承するベアリングに近接して形成されているため、ベアリングの潤滑油が前記貫通孔から漏洩し、光ディスクや光ディスク装置に付着する虞がある。
【０００７】
本発明は、このような事情に鑑みなされたものであり、装置内の温度及び圧力分布を均一化できることは勿論のこと、当該装置内に配設されたディスクモータやベアリング等に使用されている油や潤滑油等が装置内に漏洩し、光ディスクや光ディスク装置に付着することを防止することが可能な光ディスク装置を提供することを目的とする。
【課題を解決するための手段】
【０００８】
この目的を達成するため本発明は、光ディスクを回転駆動させるディスクモータを有し、当該ディスクモータにより前記光ディスクを回転させ、情報の記録または再生を行う光ディスク装置であって、前記ディスクモータは、前記回転駆動される光ディスクと同心状に配置されたロータを有し、前記ロータは、前記回転駆動される光ディスクの光ディスク面に対向する光ディスク対向面を有するロータケースを備え、前記光ディスク対向面の中央部には、当該光ディスクの中心孔に挿入され、当該光ディスクを径方向に規制する規制部材が配設され、前記光ディスク対向面の外周部には、当該光ディスク面を支持する支持部材が配設されてなり、前記支持部材は、当該支持部材の外周縁から内周縁に連通し、装置内の空気を流通させる流通路を少なくとも１つ有し、前記規制部材は、前記流通路に連通する貫通孔と、当該規制部材の内部と外部との間で前記空気を流通させる流通孔と、を有してなる光ディスク装置を提供するものである。
【０００９】
そしてまた、本発明は、光ディスクを回転駆動させるディスクモータを有し、当該ディスクモータにより前記光ディスクを回転させ、情報の記録または再生を行う光ディスク装置であって、前記ディスクモータは、前記回転駆動される光ディスクと同心状に配置されたロータを有し、前記ロータは、前記回転駆動される光ディスクの光ディスク面に対向する光ディスク対向面を有するロータケースを備え、前記光ディスク対向面の中央部には、当該光ディスクの中心孔に挿入され、当該光ディスクを径方向に規制する規制部材が配設され、前記光ディスク対向面の外周部には、当該光ディスク面を支持する支持部材が配設されてなり、前記ロータケースは、前記光ディスク対向面に、当該ロータケースの外周縁から前記規制部材に向けて連通し、装置内の空気を流通させる第１の流通路を少なくとも１つ有し、前記規制部材は、前記第１の流通路に連通する貫通孔と、当該規制部材の内部と外部との間で前記空気を流通させる流通孔と、を有してなる光ディスク装置を提供するものである。
【発明の効果】
【００１０】
本発明によれば、信頼性の高い光ディスク装置を提供することができる。
【発明を実施するための最良の形態】
【００１１】
次に、本発明の好適な実施の形態にかかる光ディスク装置について図面を参照して説明する。なお、以下に記載される実施の形態は、本発明を説明するための例示であり、本発明をこれらの実施の形態にのみ限定するものではない。したがって、本発明は、その要旨を逸脱しない限り、様々な形態で実施することができる。
【００１２】
（実施の形態１）
図１は、本発明の実施の形態１にかかる光ディスク装置の分解斜視図、図２は、図１に示す光ディスク装置の要部を示す斜視図、図３は、図２に示す要部の平面図、図４は、図３に示すIV−IV線に沿った断面図、図５は、図１に示す光ディスク装置に光ディスクをセットした状態を図３に対応する断面で示す図である。
【００１３】
なお、前述した各図では、説明を判りやすくするため、各部材の厚さやサイズ、拡大・縮小率等は、実際のものとは一致させずに記載した部分がある。また、実施の形態１にかかる光ディスク装置は、装着した光ディスクを時計回りに回転するものとして説明する。
【００１４】
図１〜図５に示すように、実施の形態１にかかる光ディスク装置１は、筐体２と、筐体２に挿抜可能に配設されたトレイ３とを有している。筐体２は、ボトムケース２１と、ボトムケース２１に配設されるトップケース２２から構成された箱形を有し、筐体２の開口から筐体２内にトレイ３が挿入され、且つ筐体２内からトレイが引出される構成となっている。なお、実施の形態１では、厚さ（回転駆動される光ディスク１００の光ディスク面１０１に略垂直方向の厚さ）が９．５ｍｍである筐体２を使用した。
【００１５】
ボトムケース２１には、後述する光ピックアップ３７内に配設されたレーザーダイオード（図示せず）を駆動するレーザー駆動回路（図示せず）や後述するディスクモータ５０を駆動するモータ駆動回路（図示せず）等が搭載された回路基板２３が配設されている。さらにまた、ボトムケース２１には、接続用のフレキシブル基板２４が配設されている。
【００１６】
トレイ３は、光ディスク１００（図５参照）を装着した際に、光ディスク１００に対向する部分に、光ディスク装着部３３が形成されている。この光ディスク装着部３３の外周は、光ディスク１００の形状に合わせた円形状となっている。この光ディスク装着部３３には、開口３６が設けられており、この開口３６からは、光ピックアップ３７の一部が表出している。また、トレイ３の挿抜方向に沿った両側部には、ガイドレール３１が各々設けられており、このガイドレール３１には、ガイドレール３１を移動する移動レール３２が各々配設されている。さらに、トレイ３の前端面には、筐体２の開口を塞ぐベセル３５が配設されている。
【００１７】
また、トレイ３の、光ディスク装着部３３のほぼ中心に対応する位置には、ディスクモータ５０が設けられている。ディスクモータ５０は、光ディスク装着部３３に装着される光ディスク１００と同心状に配置されたロータ５１を有している。このロータ５１は、光ディスク装着部３３に装着される光ディスク１００の光ディスク面１０１（図５参照）に対向する光ディスク対向面５２を有するロータケース５３と、ロータケース５３の内壁に配設されたロータマグネット５４を備えている。ロータケース５３内の中央部には、ディスクモータ５０の回転軸５５が配設されており、この回転軸５５は、軸受５６によって支承されている。そしてまた、ロータケース５３内には、ステータコア５７とステータコイル５８を有するステータ５９が配設されている。そして、このロータ５１は、ステータ５９のステータコイル５８にモータ駆動回路（図示せず）から駆動電流が供給されることにより回転するよう構成されている。
【００１８】
ロータケース５３の光ディスク対向面５２は、回転軸５５が貫通すると共に、後述する規制部材７０が配設される中央部６１と、中央部６１に連続形成され且つ中央部６１よりも突出した外周部６２を備えている。このロータケース５３の外周部６２には、光ディスク１００の光ディスク面１０１に接触して光ディスク１００を支持する支持部材６５（例えば、ターンテーブルシート）が配設されている。この支持部材６５は、所定の厚さを有しており、周方向で３等分に分割された３つの支持片６５Ａ〜６５Ｃを有している。これらの支持片６５Ａ〜６５Ｃは、互いに隣接する支持片同士、すなわち、支持片６５Ａと支持片６５Ｂとの間、支持片６５Ｂと支持片６５Ｃとの間、支持片６５Ｃと支持片６５Ａとの間に、略同一形状の隙間が各々形成されるよう分離されている。そして、これらの隙間は、支持部材６５の外周縁から内周縁に連通されており、これらの隙間が、光ディスク装置１内の空気を流通させる流通路６６Ａ、６６Ｂ及び６６Ｃとなっている。このように、支持部材６５を分割する（分離する）という簡単な作業によって、流通路６６Ａ、６６Ｂ及び６６Ｃを形成することができる。
【００１９】
各々の支持片６５Ａ〜６５Ｃの周方向両側に位置する側壁６７及び６８は、流通路６６Ａ、６６Ｂ及び６６Ｃをそれぞれ画定している。各々の支持片６５Ａ〜６５Ｃの側壁６７及び６８のうち、ロータ５１の回転方向前方に位置する側壁６７は、内周側の先端Ａ（図３参照）が、側壁６７の外周端を通る法線ＮＬ1（図３参照）よりも回転方向後方に位置するように、法線ＮＬ1に対し傾斜した形状を有している。この側壁６７は、内側（すなわち、回転方向後方側）に窪むように若干湾曲している。また、回転方向後方に位置する側壁６８は、内周側の先端Ｂ（図３参照）が、側壁６８の外周端を通る法線ＮＬ2（図３参照）よりも回転方向後方に位置するように、法線ＮＬ2に対し傾斜した形状を有している。この側壁６８は、外側（すなわち、回転方向後方側）に突出するように若干湾曲している。側壁６７及び６８を、前述した形状にすることにより、ロータ５１が回転した際に光ディスク装置１内の空気を、流通路６６Ａ、６６Ｂ及び６６Ｃを介して、光ディスク１００の中心部に向けて効率よく通過させる（取り込む）ことができる。
【００２０】
光ディスク対向面５２の中央部には、光ディスク１００の中心孔１０２（図５参照）に挿入され、光ディスク１００を径方向に規制する規制部材７０（例えば、クランパ）が配設されている。この規制部材７０は、ディスクモータ５０からトップケース２２側に突出しており、光ディスク１００の中心孔１０２に嵌入されて光ディスク１００をチャッキングする。規制部材７０の光ディスク対向面５２側の端部には、流通路６６Ａ、６６Ｂ及び６６Ｃを通過した空気を規制部材７０の内部に導入する複数の貫通孔７２（図４及び図５参照）が形成されている。また、規制部材７０のトップケース２２側には、規制部材７０の内部と外部との間で空気を流通させる（実施の形態１では、規制部材７０の内部の空気を外部に排出する）複数の流通孔７３が形成されている。これらの貫通孔７２及び流通孔７３は、規制部材７０に予め形成されている孔を利用することができるが、別途形成してもよい。
【００２１】
次に、実施の形態１にかかる光ディスク装置１の具体的動作について説明する。先ず、筐体２からトレイ３を引出し、光ディスク装着部３３に光ディスク１００を載置して光ディスク１００の中心孔１０２に規制部材７０を嵌入させる。この動作により、光ディスク１００は、規制部材７０にチャッキングされると共に、光ディスク面１０１が支持片６５Ａ〜６５Ｃに接触し、滑らないように支持される。その後、このトレイ３を筐体２内に挿入する。
【００２２】
次に、ディスクモータ５０のステータ５９のステータコイル５８に駆動電流が供給されてロータ５１が回転すると、支持片６５Ａ〜６５Ｃ、規制部材７０、及びこれらに保持されている光ディスク１００が回転する。この光ディスク１００の回転により、光ディスク１００のトップケース２２側の表面の空気は、光ディスク１００の中心部側から外周部側に向かって流動する。また、光ディスク１００の光ディスク面１０１側にある空気は、図５に矢印で示すように、流通路６６Ａ、６６Ｂ及び６６Ｃを介して、支持片６５Ａ〜６５Ｃの外周側から内周側に向けて吸込まれる。この時、各々の支持片６５Ａ〜６５Ｃの側壁６７及び６８は、前述したように湾曲した傾斜面となっているため、前記空気は、光ディスク１００の中心部に向けて効率よく導入される。
【００２３】
次いで、この空気は、規制部材７０に到達し、規制部材７０に形成された貫通孔７２から規制部材７０内に侵入し、規制部材７０内を通過（流通）して流通孔７３から規制部材７０の外部に排出される。
【００２４】
以上のように、光ディスク装置１内では、光ディスク１００のトップケース２２側の表面の空気が、光ディスク１００の中心部側から外周部側に向かって流動し、この空気が、光ディスク１００の光ディスク面１０１と、ロータケース５３の光ディスク対向面５２との間を通過して、流通路６６Ａ、６６Ｂ及び６６Ｃに侵入し、流通路６６Ａ、６６Ｂ及び６６Ｃを介して規制部材７０に至り、規制部材７０の内部を通過して流通孔７３から排出され、光ディスク１００のトップケース２２側の表面に至るという空気流が形成される。この空気流は、トップケース２２の内面と光ディスク１００との間の圧力差、及び光ディスク１００の中心部側と外周部側との圧力差を、効率よく減少させると共に、光ディスク１００の上下面間に温度差が生じることを確実に防止する。したがって、光ディスク１００を回転させた際に、光ディスク装置１内に圧力差や温度差が生じやすい、厚さが５ｍｍ以上、１５ｍｍ以下である薄型の光ディスク装置１であっても、光ディスク装置１内の温度や圧力分布を効率よく均一にすることができ、光ディスク１００が傾いたり、変形したりするというトラブルの発生を解消することができる。
【００２５】
また、流通路６６Ａ、６６Ｂ及び６６Ｃは、ロータケース５３の光ディスク対向面５２上に配設された支持片６５Ａ〜６５Ｃ同士の隙間から形成されているため、前記空気流がロータケース５３内を通過することがない。したがって、ロータケース５３の内部に配設されている軸受５６の潤滑油や、ディスクモータ５０で使用される油が、流通路６６Ａ、６６Ｂ及び６６Ｃから光ディスク装置１内に漏洩することがない。
【００２６】
なお、実施の形態１では、支持部材６５を３分割することで、３つの流通路６６Ａ、６６Ｂ及び６６Ｃを形成した場合について説明したが、これに限らず、支持部材６５は、周方向の所定位置で分離すればよい。例えば、図６及び図７に示すように、支持部材６５を４等分に分割し、４つの支持片６５Ａ〜６５Ｄを形成することで、４つの流通路６６Ａ〜６６Ｄを形成してもよく、図８及び図９に示すように、５つ以上の複数個に分離して、５つ以上の流通路Ｎを形成してもよい。また、流通路は、支持部材６５の外周縁から内周縁に連通し、光ディスク装置１内の空気を流通させることが可能であれば、少なくとも１つ形成すればよい。そしてまた、流通路のサイズは、支持部材６５の本来の機能、すなわち、載置された光ディスク１００を支持し、ロータ５１と共に適切な回転を行うための移動防止機能等を損なわない範囲内であれば、所望により任意に決定することができる。さらにまた、支持部材６５は、必ずしも、等分割する必要はなく、分割位置は任意に決定することができる。
【００２７】
また、実施の形態１では、支持片６５Ａ〜６５Ｃの側壁６７を法線ＮＬ1に対し傾斜させると共に湾曲状に形成し、側壁６８を法線ＮＬ2に対し傾斜させると共に湾曲状に形成した場合について説明したが、これに限らず、側壁６７及び６８は、湾曲状に形成せずに平面のまま、法線ＮＬ1及びＮＬ2に対し傾斜させた形状にしてもよい。また、支持部材６５の外周縁から内周縁に向けて連通し、空気を流通させることが可能であれば、流通路の形状は、特に限定されるものではない。
【００２８】
そしてまた、実施の形態１では、厚さが９．５ｍｍの光ディスク装置１について説明したが、これに限らず、光ディスク装置１は、例えば、厚さが１２．７ｍｍ等、厚さが５ｍｍ以上、１５ｍｍ以下である薄型の光ディスク装置であってもよく、他の厚さを有していてもよい。
【００２９】
（実施の形態２）
次に、本発明の実施の形態２にかかる光ディスク装置について、図面を参照して説明する。なお、実施の形態２では、実施の形態１と同様の部材には、同一の符号を付し、その詳細な説明は省略する。
【００３０】
図１０は、実施の形態２にかかる光ディスク装置の要部を示す斜視図、図１１は、図１０に示す要部の平面図である。
【００３１】
図１０及び図１１に示すように、実施の形態２にかかる光ディスク装置の、実施の形態１にかかる光ディスク装置１との異なる主な点は、流通路１６６Ａ〜１６６Ｃを、ロータケース５３の光ディスク対向面５２に形成し、光ディスク対向面５２の外周部６２にリング状の支持部材１６５を配設した点である。
【００３２】
すなわち、光ディスク対向面５２の外周部６２の、周方向に互いに１２０度ずれた（位相した）各々の位置には、外周部６２の外周縁から内周縁に貫通し、光ディスク対向面５２の中央部６１に連通する凹部がそれぞれ形成されている。これらの３つの凹部は、その底面が、光ディスク対向面５２の中央部６１と同じ高さ（面一）となる深さで形成されており、この中央部６１に連通されている。そして、これらの３つの凹部が、光ディスク装置内の空気を流通させる流通路１６６Ａ、１６６Ｂ及び１６６Ｃとなっている。このように、光ディスク対向面５２の外周部６２に凹部を形成するという簡単な作業によって、流通路１６６Ａ、１６６Ｂ及び１６６Ｃを形成することができる。
【００３３】
各々の流通路１６６Ａ〜１６６Ｃ（すなわち、凹部）の周方向両側を画定する側壁１６７及び１６８のうち、ロータ５１の回転方向前方に位置する側壁１６７は、内周側の先端Ｃ（図１１参照）が、側壁１６７の外周端を通る法線ＮＬ3（図１１参照）よりも回転方向後方に位置するように、法線ＮＬ3に対し傾斜した形状を有している。この側壁１６７は、内側（すなわち、回転方向後方側）に窪むように若干湾曲している。また、回転方向後方に位置する側壁１６８は、内周側の先端Ｄ（図１１参照）が、側壁１６８の外周端を通る法線ＮＬ4（図１１参照）よりも回転方向後方に位置するように、法線ＮＬ4に対し傾斜した形状を有している。この側壁１６８は、外側（すなわち、回転方向後方側）に突出するように若干湾曲している。側壁１６７及び１６８を、前述した形状にすることにより、ロータ５１が回転した際に光ディスク装置内の空気を、流通路１６６Ａ、１６６Ｂ及び１６６Ｃを介して、光ディスク１００の中心部に向けて効率よく通過させる（取り込む）ことができる。
【００３４】
流通路１６６Ａ、１６６Ｂ及び１６６Ｃが形成された外周部６２には、光ディスク１００の光ディスク面１０１に接触して光ディスク１００を支持する支持部材１６５が配設されている。
【００３５】
次に、実施の形態２にかかる光ディスク装置の具体的動作について説明する。先ず、実施の形態１と同様に、光ディスク装置に装着した光ディスク１００を回転させると、光ディスク１００のトップケース２２側の表面の空気は、光ディスク１００の中心部側から外周部側に向かって流動する。また、光ディスク１００の光ディスク面１０１側にある空気は、流通路１６６Ａ、１６６Ｂ及び１６６Ｃを介して、ロータケース５３の光ディスク対向面５２の外周側から内周側に向けて吸込まれる。この時、各々の流通路１６６Ａ、１６６Ｂ及び１６６Ｃの周方向両側の側壁１６７及び１６８は、前述したように湾曲した傾斜面となっているため、前記空気は、光ディスク１００の中心部に向けて効率よく導入される。
【００３６】
次いで、この空気は、光ディスク対向面５２の中心部に至り、ここから規制部材７０に到達する。この規制部材７０に到達した空気は、実施の形態１と同様に、規制部材７０に形成された貫通孔７２から規制部材７０内に侵入し、規制部材７０内を通過（流通）して流通孔７３から規制部材７０の外部に排出される。
【００３７】
以上のように、光ディスク装置内では、光ディスク１００のトップケース２２側の表面の空気が、光ディスク１００の中心部側から外周部側に向かって流動し、この空気が、流通路１６６Ａ、１６６Ｂ及び１６６Ｃに侵入して規制部材７０に至り、規制部材７０の内部を通過して流通孔７３から排出され、光ディスク１００のトップケース２２側の表面に至るという空気流が形成される。この空気流は、実施の形態１と同様に、トップケース２２の内面と光ディスク１００との間の圧力差、及び光ディスク１００の中心部側と外周部側との圧力差を、効率よく減少させると共に、光ディスク１００の上下面間に温度差が生じることを確実に防止する。したがって、光ディスク１００を回転させた際に、光ディスク装置１内に圧力差や温度差が生じやすい、厚さが５ｍｍ以上、１５ｍｍ以下である薄型の光ディスク装置１であっても、光ディスク装置内の温度や圧力分布を効率よく均一にすることができ、光ディスク１００が傾いたり、変形したりするというトラブルの発生を解消することができる。
【００３８】
また、流通路１６６Ａ、１６６Ｂ及び１６６Ｃは、ロータケース５３の光ディスク対向面５２に形成された凹部から形成されているため、前記空気流がロータケース５３内を通過することがない。したがって、ロータケース５３の内部に配設されている軸受５６の潤滑油や、ディスクモータ５０で使用される油が、流通路１６６Ａ、１６６Ｂ及び１６６Ｃから光ディスク装置内に漏洩することがない。
【００３９】
なお、実施の形態２では、ロータケース５３の光ディスク対向面５２に、３つの流通路１６６Ａ、１６６Ｂ及び１６６Ｃを形成した場合について説明したが、これに限らず、流通路は、少なくとも１つ形成すればよい。また、この流通路は、光ディスク対向面５２の外周縁から規制部材７０に向けて連通し、光ディスク装置内の空気を流通させることができれば、任意の位置に形成することができる。
【００４０】
また、実施の形態２では、側壁１６７を法線ＮＬ3に対し傾斜させると共に湾曲状に形成し、側壁１６８を法線ＮＬ4に対し傾斜させると共に湾曲状に形成した場合について説明したが、これに限らず、側壁１６７及び１６８は、湾曲状に形成せずに平面のまま、法線ＮＬ3及びＮＬ4に対し傾斜させた形状にしてもよい。また、光ディスク対向面５２の外周縁から規制部材７０に向けて連通し、空気を流通させることが可能であれば、流通路の形状は、特に限定されるものではない。
【００４１】
そしてまた、実施の形態２では、リング状の支持部材１６５を配設した場合について説明したが、これに限らず、支持部材１６５は、例えば、図１２及び図１３に示すように、流通路１６６Ａ、１６６Ｂ及び１６６Ｃと対応する領域に隙間が形成されるように、周方向で３等分に分割して３つの支持片１６５Ａ〜１６５Ｃとしてもよい。これらの隙間は、流通路１６６Ａ、１６６Ｂ及び１６６Ｃに各々連通する流通路２６６Ａ、２６６Ｂ及び２６６Ｃとなり、光ディスク１００が回転した際に、光ディスク装置内の空気は、流通路１６６Ａ、１６６Ｂ及び１６６Ｃと、流通路２６６Ａ、２６６Ｂ及び２６６Ｃを通過することになるため、光ディスク装置内の温度及び圧力分布の均一化をより一層向上させることができる。
【００４２】
図１２及び図１３に示す構造の場合、支持片１６５Ａ〜１６５Ｃの周方向一方側の側壁２６７は、流通路１６６Ａ、１６６Ｂ及び１６６Ｃの周方向一方側を画定する側壁１６７と同様に傾斜し且つ湾曲しており、支持片１６５Ａ〜１６５Ｃの周方向他方側の側壁２６８は、流通路１６６Ａ、１６６Ｂ及び１６６Ｃの周方向他方側を画定する側壁１６８と同様に傾斜し且つ湾曲している。すなわち、側壁２６７は側壁１６７と同一面上にあり、側壁２６８は側壁１６８と同一面上にある。
【００４３】
また、図１４に示すように、支持片１６５Ａ〜１６５Ｃによって画定される流通路２６６Ａ、２６６Ｂ及び２６６Ｃを流通路１６６Ａ、１６６Ｂ及び１６６Ｃとはずらした位置に形成してもよい。このように流通路２６６Ａ、２６６Ｂ及び２６６Ｃを配設した場合も前記と同様に、光ディスク１００が回転した際に、光ディスク装置内の空気は、流通路１６６Ａ、１６６Ｂ及び１６６Ｃと、流通路２６６Ａ、２６６Ｂ及び２６６Ｃを通過することになるため、光ディスク装置内の温度及び圧力分布の均一化をより一層向上させることができる。
【００４４】
なお、実施の形態１及び２では、筐体２にトレイ３が配設されており、筐体２から引出されたトレイ３の所定位置に光ディスク１００を装着し、このトレイ３を筐体２に挿入するタイプの光ディスク装置について説明したが、これに限らず、本発明にかかる光ディスク装置は、例えば、図１５に示すように、光ディスク１００を直接筐体２００に挿入するスロットイン方式の光ディスク装置であってもよい。
【００４５】
図１５に示すスロットイン方式の光ディスク装置１０は、ボトムケース２２１と、ボトムケース２２１に配設されるトップケース２２２から構成された箱形の筐体２００を有している。そして、このボトムケース２２１の略中央部には、前述したディスクモータ５０、支持部材６５（１６５）、規制部材７０が配設されている。また、ボトムケース２２１には、光ディスク１００が筐体２００の前面に形成された開口部２２３から筐体２００内に挿入される際、及び、光ディスク１００が筐体２００から排出される際に、この挿入及び排出のための、光ディスクに対する動力源となるレバー２３１、２３２及び２３３が配設されている。レバー２３１は、支点２３１Ａを中心にして回転する。ローラ２４１、２４２、２４３は、挿入された光ディスク１００の外周に当接して光ディスク１００のセンタリングを行う。なお、符号２３０は、光ピックアップ３７である。
【００４６】
このように構成された光ディスク装置１０において、光ディスク１００が筐体２００の開口部２２３から筐体２００内に直接挿入されると、光ディスク１００の外周にローラ２４１、２４２及び２４３が、この順で当接し、レバー２３１、２３２、２３３を変位させながら、光ディスク１００のセンタリングを行い、光ディスク１００をディスクモータ５０の回転軸と略同心となる位置に位置決めする。
【００４７】
このようなスロットイン方式の光ディスク装置１０も同様に、光ディスク１００が回転した際に、流通路６６Ａ、６６Ｂ及び６６Ｃ（１６６Ａ、１６６Ｂ及び１６６Ｃ、２６６Ａ、２６６Ｂ及び２６６Ｃ）を介して、光ディスク装置１０内の空気を通過させ、光ディスク装置１０内の温度及び圧力分布の均一化をより一層向上させることができる。
【００４８】
なお、筐体２００の厚さ（回転駆動される光ディスク１００の光ディスク面１０１に略垂直方向の厚さ）は、特に限定されるものではなく、例えば、厚さが９．５ｍｍ、１２．７ｍｍ等、５ｍｍ以上、１５ｍｍ以下であってもよく、所望により、これ以外の厚さであってもよい。
【００４９】
以上、説明したように、本発明にかかる光ディスク装置は、光ディスクを回転させた際に、支持部材に形成された流通路を介して、光ディスクとロータケースとの間から当該光ディスクの中心部に向けて空気を流通させることができ、光ディスク装置内の温度及び圧力分布を均一化することができる。また、前記流通路は、支持部材に形成されているため、前記空気がロータケース内を通過することを防止することができ、ロータケースの内部に配設されているベアリングの潤滑油や、ディスクモータの油が、流通路から漏洩することがない。この結果、高精度で信頼性の高い光ディスク装置を提供することができる。
【００５０】
また、本発明にかかる光ディスク装置は、光ディスクを回転させた際に、ロータケースの光ディスク対向面に形成された第１の流通路を介して、光ディスクとロータケースとの間から当該光ディスクの中心部に向けて空気を流通させることができ、光ディスク装置内の温度及び圧力分布を均一化することができる。また、前記第１の流通路は、ロータケースの光ディスク対向面に形成されているため、前記空気がロータケース内を通過することを防止することができ、ロータケースの内部に配設されているベアリングの潤滑油や、ディスクモータの油が、流通路から漏洩することがない。この結果、高精度で信頼性の高い光ディスク装置を提供することができる。
【図面の簡単な説明】
【００５１】
【図１】本発明の実施の形態１にかかる光ディスク装置の分解斜視図である。
【図２】図１に示す光ディスク装置の要部を示す斜視図である。
【図３】図２に示す要部の平面図である。
【図４】図３に示すIV−IV線に沿った断面図である。
【図５】図１に示す光ディスク装置に光ディスクをセットした状態を図３に対応する断面で示す図である。
【図６】本発明の他の実施の形態にかかる光ディスク装置の要部を示す斜視図である。
【図７】図６に示す要部の平面図である。
【図８】本発明の他の実施の形態にかかる光ディスク装置の要部を示す斜視図である。
【図９】図６に示す要部の平面図である。
【図１０】本発明の実施の形態２にかかる光ディスク装置の要部を示す斜視図である。
【図１１】図１０に示す要部の平面図である。
【図１２】本発明の他の実施の形態にかかる光ディスク装置の要部を示す斜視図である。
【図１３】図１２に示す要部の平面図である。
【図１４】本発明の他の実施の形態にかかる光ディスク装置の要部を示す平面図である。
【図１５】本発明の他の実施の形態にかかる光ディスク装置の分解斜視図である。
【符号の説明】
【００５２】
１、１０…光ディスク装置、  ３…トレイ、  ３７…光ピックアップ、  ５０…ディスクモータ、  ５１…ロータ  、５２…光ディスク対向面、  ５３…ロータケース、  ６５…支持部材、  ６５Ａ〜６５Ｃ、１６５Ａ〜１６５Ｃ…支持片、  ６６Ａ〜６６Ｃ、１６６Ａ〜１６６Ｃ…流通路、  ６７、６８、１６７、１６８…側壁、  ７０…規制部材、７２…貫通孔、  ７３…流通孔、  １００…光ディスク
【図１】
2008305446.tif 000003
【図２】
2008305446.tif 000004
【図３】
2008305446.tif 000005
【図４】
2008305446.tif 000006
【図５】
2008305446.tif 000007
【図６】
2008305446.tif 000008
【図７】
2008305446.tif 000009
【図８】
2008305446.tif 000010
【図９】
2008305446.tif 000011
【図１０】
2008305446.tif 000012
【図１１】
2008305446.tif 000013
【図１２】
2008305446.tif 000014
【図１３】
2008305446.tif 000015
【図１４】
2008305446.tif 000016
【図１５】
2008305446.tif 000017